(57)【特許請求の範囲】
【請求項１】
枠体に開閉可能に取り付けられた扉に設けられ、ハンドルの回動と連動して回動する止め金の先端を、前記枠体に係止してロックする扉用ハンドルにおいて、
前記扉の内面に密着して配置された支持板と、
前記扉及び支持板を貫通し、ナットを介して前記扉に取り付けられ、前記ハンドルの回動軸を回動自在に支持する受け座と、
前記受け座の前記扉の外面に当接する面に形成され、
前記扉を貫通し前記支持板に形成された回り止め用孔に嵌合する突起と、
前記回動軸の扉内面側に突出する先端に一端が固定されたアームと、
前記支持板に回動可能に支持され外周に前記アームの他端に植設されたピンが摺動自在に係合する切欠部が形成されたカム部材と、
該カム部材に一端が固定され、回動により他端が前記枠体に係合する止め金と
を備えることを特徴とする扉用ハンドル。
【請求項２】
前記アームの回動角より、該アームにより回動される前記カム部材の回動角を大きくしたことを特徴とする請求項１に記載の扉用ハンドル。
【請求項３】
前記扉の閉または開時に、前記アームに植設された前記ピンが、前記カム部材に形成された前記切欠部の先端に係合し、前記カム部材の回動を係止するようにしたことを特徴とする請求項１に記載の扉用ハンドル。
【請求項４】
前記止め金の回動中心の両側にそれぞれ一端が回動可能に連結され、前記止め金の回動によって他端が前記枠体に係脱する係止ロッドを備えることを特徴とする請求項１に記載の扉用ハンドル。
【発明の詳細な説明】
【０００１】
【発明の属する技術分野】
本発明は、扉に取り付けられたハンドルの回動によって止め金を回動させ、前記扉が開閉可能に取り付けられた枠体に前記止め金を係脱する扉用ハンドルに係り、特に前記ハンドルと前記止め板との回動方向を逆転させる反転機構を備えた扉用ハンドルに関する。
【０００２】
【従来の技術】
例えば配電函の前面に開閉可能に設けられた扉には、ハンドルと、このハンドルの回動によって回動駆動され先端が前記配電函の枠体に係脱する止め金とが設けられている。この止め金の基端は従来はハンドルの支軸に固定されていた。従ってハンドルと止め金の回動方向は同方向であった。
【０００３】
【発明が解決しようとする課題】
上記のように構成された従来の扉用ロックハンドルによると、通常ハンドルは支軸を中心として垂直方向に下がった状態で止め金が水平となり、函の枠体に係止されている。そしてハンドルを回動することにより止め金を下方に回動させ、枠体との係止を解除している。このため止め金の形状、取付状態から止め金には常に枠体との係止を解除する方向に力が加わっている。また、配電凾などが設置されている場所には常に何らかの微振動を受けているため、ハンドルを操作しなくても止め金が自重で回動し、係止が解除されるおそれがあった。
【０００４】
この問題を解決するためには係止を解除するときには止め金を上方向に回動させればよいが、このためには例えば右開きの扉の場合、ハンドル操作を開扉時には時計方向（下方から水平方向）に、閉扉旋錠時には反時計方向（水平方向から下方）にしなければならない。このようにして閉扉時に止め金を上方から下方に回動させて係止させることはできるが、ハンドルが止め金と同方向に回動するため、開扉時にハンドルが扉の面から外側に突出し、人間工学的に見ても不自然で、誤操作により手を痛める可能性もあった。特に観音開きの扉の場合にはハンドル同志が干渉して開扉が困難になるという問題があった。このハンドルの干渉を防ぐためにはハンドルを扉の周縁から離れた位置に取り付けなければならず、外観上も問題があった。
【０００５】
一方、開扉時のハンドル操作は通常左開き、右開きとも、垂直下方からそれぞれ左右に６０度回動させることが主流となっており、止め金も上方から下方へ同方向に６０度回動する。このとき図１５に示すようにハンドル２０１に軸２０２を介して同軸上に一端が固定された止め金２０３の他端の、枠体２０４に対する係止代Ａを大きくしたい場合には、扉２０５の端面からの軸２０２までの距離Ｂを大きくしなければならないという問題もあった。
【０００６】
上述した問題を解決するため本出願人は、先に実願平３−１９５８７号により、ハンドルと止め金との回動方向を逆転させる反転機構を備えた扉用ロックハンドルを提案した。この提案の構成を図１６及び図１７に示す。図１６及び図１７において、扉１０１には４個の取付孔１０２が形成された基板１０３が、取付孔１０２を介して図示しないねじにより取り付けられている。扉１０１にはハンドル１０４の支軸１０５が回動自在に取り付けられており、支軸１０５の扉１０１及び基板１０３を貫通して内側に突出した一端には、レバー１０６の基端が固定されている。またレバー１０６の先端近傍にはピン１０７が植設されている。
【０００７】
一方、基板１０３には支軸１０５に平行に円筒状の止め金用座１０８が溶接固定されており、座１０８の先端に形成された段差部１０８ａには、止め金１０９に形成された取付孔が回動自在に嵌合している。また座１０８の先端端面には角孔ワッシャ１１０が嵌合されており、座１０８の中心に軸方向に形成されたネジ孔１１１にボルト１１２を螺着することにより、角孔ワッシャ１１０を座１０８に固定している。そして角孔ワッシャ１１０を介して止め金１０９の座１０８からの脱落を防止している。
【０００８】
止め金１０９はほぼＴ字形に形成されおり。止め金１０９の中央の突起部１０９ａが扉１０１の枠体１１３に係止される係止部となっている。さらに止め金１０９の突起部１０９ａに対して直角方向の両側端にはそれぞれ取付孔１１４が形成されていて、取付孔１１４にはそれぞれ図示しない係止ロッドの一端が取り付けられている。また止め金１０９の支軸１１０に対して突起部１０９ａと反対側には、止め金１０９の長辺に対して傾斜して長孔１１５が形成されていて、長孔１１５にはピン１０７が摺動自在に係合している。
【０００９】
上記の構成において、ハンドル１０４を矢印Ａ方向に回動すると、支軸１０５に固定されているレバー１０６も矢印Ａ方向に回動する。この結果レバー１０６に植設されているピン１０７が２点鎖線で示す位置に移動し、長孔１１５を介して止め金１０９が座１０８を中心として矢印Ｂ方向に回動し、２点鎖線で示す位置に至る。この結果、取付孔１１４に連結されている図示しない係止ロッドが昇降して、枠体１１３の上下辺との係止が解除される。同時に止め金１０９の突起部１０９ａも矢印Ｂ方向に上昇して、枠体１１３の上下方向の面との係止も解除される。
【００１０】
上記の構成によると、ハンドル１０４の回動方向と止め金１０９の回動方向とは逆であるので、ハンドル１０４を扉１０１の周縁から離間する矢印Ａ方向に回動することにより、止め金１０９を矢印Ｂ方向に上昇させて係止を解除することができる。従って止め金１０９により扉１０１の閉止状態を維持しているときに、止め金１０９は下降し自重でその位置を保持することができ、扉１の解放を防止することができる。
【００１１】
しかしながら上記の構成によると、板金状の止め金１０９に形成された長孔１１５にピン１０７を係合し、レバー１０６の回動によって止め金１０９を回動させ、止め金１０９の突起部１０９ａを枠体１１３に係止させて扉１０１をロック状態にしているが、止め金１０９は通常２ｍｍ乃至３．２ｍｍのあまり厚くない鉄板で作られているため、止め金１０９が枠体１１３に係止されるなどして回動しにくい状態のときに、無理にハンドル１０４を回わすと止め金１０９が変形しやすいという問題があった。特にピン１０７を係合している長孔１１５が変形し、ピン１０７が長孔１１５に沿って動きにくくなるおそれがあった。
【００１２】
また、基板１０３を扉１０１に固定するために、基板１０３に４個の取付孔１０２を形成し、扉１０１側にも取付孔１０２に対応する位置に図示しないネジ孔を形成して、図示しないネジにより基板１０３を扉１０１に固定しなければならず、取り付けのために手間がかかるという問題もあった。
【００１３】
本発明はこのような状況に鑑みてなされたもので、止め金の変形や破損が発生しにくく、たとえ変形や破損が発生しても、ハンドルと止め金の回動方向を反転させることができ、止め金による扉の閉扉を確実に行なうことのでき、しかも組み立てが容易な扉用ハンドルを提供することを目的とする。
【００１４】
【課題を解決するための手段】
上記目的を達成するために、請求項１に記載の本発明は、枠体に開閉可能に取り付けられた扉に設けられ、ハンドルの回動と連動して回動する止め金の先端を、前記枠体に係止してロックする扉用ハンドルにおいて、前記扉の内面に密着して配置された支持板と、前記扉及び支持板を貫通し、ナットを介して前記扉に取り付けられ、前記ハンドルの回動軸を回動自在に支持する受け座と、前記受け座の前記扉の外面に当接する面に形成され、前記扉を貫通し前記支持板に形成された回り止め用孔に嵌合する突起と、前記回動軸の扉内面側に突出する先端に一端が固定されたアームと、前記支持板に回動可能に支持され外周に前記アームの他端に植設されたピンが摺動自在に係合する切欠部が形成されたカム部材と、該カム部材に一端が固定され、回動により他端が前記枠体に係合する止め金とを備えることを特徴とする。
【００１５】
請求項２に記載の扉用ハンドルは、前記アームの回動角より、該アームにより回動される前記カム部材の回動角を大きくしたことを特徴とする。
【００１６】
請求項３に記載の扉用ハンドルは、前記扉の閉または開時に、前記アームに植設された前記ピンが、前記カム部材に形成された前記切欠部の先端に係合し、前記カム部材の回動を係止させるようにしたことを特徴とする。
【００１７】
請求項４に記載の扉用ハンドルは、前記止め金の回動中心の両側にそれぞれ一端が回動可能に連結され、前記止め金の回動によって他端が前記枠体に係脱する係止ロッドを備えることを特徴とする。
【００１８】
【発明の実施の形態】
以下、本発明の扉用ハンドルの一実施例を図面を参照して説明する。
【００１９】
図１乃至図１４に本発明の一実施例の構成を示す。図１乃至図３において、扉１の内面には後述する支持板４が密着して取り付けられており、扉１及び支持板４を貫通して受け座１９が挿通されている。受け座１９には図３に示すように、中心にハンドル３の上端に直角方向に一体に形成された回動軸２を回動自在に支持する軸受部１９ａが設けられており、軸受部１９ａの中心には回動軸孔１９ｂが貫通して形成されている。また受け座１９の扉１の外面に当接する面には、軸受部１９ａの上下に突起１９ｃが設けられており、軸受部１９ａの外周には外径ネジ１９ｄが形成されている。さらに扉１には受け座１９の軸受部１９ａと１対の突起１９ｃがそれぞれ貫通する孔部１ａ，１ｂが形成されている。
【００２０】
支持板４は図４乃至図６に示すようにほぼ矩形板状に形成されており、支持板４の幅方向の中心線上の下部には、受け座１９の軸受部１９ａが挿通される孔部４ａが形成されている。また、前記中心線上の孔部４ａの上下には、受け座１９の１対の突起１９ｃが挿通され、支持板４の扉１に対する回転を係止するまわり止め用孔４ｃが形成されている。さらに前記中心線上の上部には後述するカム部材１０が回転自在に支持される孔部４ｂが形成されている。
【００２１】
支持板４の孔部４ｂの幅方向の両側には、カム部材１０の回転を案内するガイドピン１３が植設されるネジ孔４ｄが設けられており、上下方向の中間の両側には、後述するアーム６の回動範囲を規制するストッパ４ｅが、内面側に突出して形成されている。
【００２２】
上記のように形成された受け座１９の軸受部１９ａと１対の突起１９ｃをそれぞれ扉１の孔部１ａ，１ｂ及び支持板４の孔部４ａ，４ｃに挿通し、軸受部１９ａの外周に形成された外径ネジ１９ｄにナット５を螺着して締め付けることにより、支持板４を扉１に固定することができる。このとき突起１９ｃが孔部１ｂ，４ｃに嵌合しているので、支持板４の扉１に対する回転が係止される。そしてハンドル３の回動軸２は受け座１９の回動軸孔１９ｂに回動自在に挿通される。
【００２３】
回動軸２が扉１の内側に突出した一端には、図７及び図８に示すようなアーム６の一端が固定されている。アーム６は中間に段差部６ａが設けられており、基端には角孔６ｂが、先端にはピン取付孔６ｃがそれぞれ設けられている。角孔６ｂには回動軸２の先端に形成された図示しない角柱部が嵌合しており、アーム６は図２に示す押え金具７を介してねじ８により回動軸２に回転が係止されて固定されている。またピン取付孔６ｃにはピン９が圧入かしめられている。
【００２４】
カム部材１０は図９乃至図１１に示すように円柱部１１とカム板部１２とから構成されている。円柱部１１の基端は図４に示す支持板４の孔部４ｂに回動自在に装着されており、先端には角柱部１１ａが設けられている。カム板部１２の外周にはフォーク状の切欠部１２ａが形成されており、円柱部１１と同心上に１対の円弧状のガイド孔１２ｂが形成されている。そしてアーム６に植設されたピン９が切欠部１２ａに摺動自在に係合しており、ガイド孔１２ｂには支持板４のねじ孔４ｄに螺着されたガイドピン１３が摺動自在に挿通されている。
【００２５】
カム部材１０の円柱部１１の先端に設けられた角柱部１１ａには、図１２及び図１３に示す止め金１４に形成された角孔１４ａが嵌合しており、止め金１４は図２に示す押え金具１５を介してねじ１６で角柱部１１ａに回転が係止されて固定されている。止め金１４には回動によって図示しない枠体に係合する係止部１４ｂが設けられており、角孔１４ａに対して対称の位置にはそれぞれ係止ロッド取付孔１４ｃが形成されている。そして取付孔１４ｃには図１に示すように係止ロッド１７の一端が回動可能に連結されている。係止ロッド１７の他端近傍は扉１に設けられた案内板１８により上下方向に摺動自在に案内されており、止め金１４の回動により係止ロッド１７の他端が図示しない枠体に係合するようになっている。
【００２６】
次に本実施例の作用を説明する。図２に示すハンドル３を図１に示す矢印Ａ方向に回動すると、回動軸２に固定されたアーム６も同方向に回動する。さらにアーム６に植設されたピン９を介してカム部材１０は矢印Ｂ方向に反転回動し、カム部材１０に固定された止め金１４も同方向に回動する。この結果図示しない枠体に係合していた止め金１４の係止部１４ｂは枠体から離脱し、扉１の枠体に対するロックが解除される。同時に止め金１４に連結されている１対の係止ロッド１７もそれぞれ矢印Ｃ，Ｄ方向に移動し、係止ロッド１７の上下方向の先端の枠体に対するロックが解除される。同様にハンドル３を矢印Ａと反対の方向に回転することにより、止め金１４及び係止ロッド１７が枠体に係合しロックされる。
【００２７】
ここで、図１４に示すように回動軸２とピン９との間の距離Ｃと、カム部材１０の回転中心１０ａと切欠部１２ａにピン９が接する点との間の距離Ｄとを適正に調整することにより、ハンドル３と一体に回動するアーム６の回動角より、止め金１４と一体に回動するカム部材１０の回動角を大きくすることができる。例えばハンドル３を６０度回動させたときに止め金１４を９０度回動させることができる。
【００２８】
この結果、扉１の端面と回動軸２との間の距離Ｂを長くすることなく、止め金１４の枠体２１に対す係止代Ａを大きくすることができる。同時に係止ロッド１７の移動量も大きくなり、枠体２１に対する係止代も大きくすることができる。
【００２９】
また、止め金１４が水平になった扉閉状態及び止め金１４が垂直となった扉開状態において、アーム６に植設されたピン９がカム部材１０に形成された切欠部１２ａの先端に係合させ、デッドポイントとすることにより、ハンドル３を回動させない限り止め金１４は単独では回動しない。このため扉１を開いた状態では止め金１４は垂直の状態に保持され、扉１が風などにあおられて急に閉じたときに、止め金１４が枠体２１に当ることを防止でき、止め金１４自体や枠体２１の損傷の発生を防ぐことができる。
【００３０】
本実施例によれば、ハンドル３の回転方向に対し反転された方向に止め金１４が回動されるので、止め金１４が下降した状態で安定したロックを行なうことができる。同時に連結ロッド１７によりロックを行なうことができる。また止め金１４はカム部材１０に固定されており、アーム６の回動によりピン９を介してカム部材１０が回動されるので、アーム６による回転モーメントが直接止め金１４に作用しないので、止め金１４の変形や破損の発生を少くすることができる。また、止め金１４に変形や破損が発生しても、カム部材１０の回動により止め金１４は回動するので、回動方向の反転機能を維持することができる。
【００３１】
また、ハンドル３の回動角に対して、カム部材１０の回動角を大きくしたので止め金１４及び係止ロッド１７の枠体２１に対する係止代を大きくすることができる。さらに扉１の閉状態及び開状態において、止め金１４単独では回動しないようにしたので、扉１を開いた状態で風などにより急に閉じたときにも、止め金１４や枠体２１の損傷の発生を防ぐことができる。
【００３２】
さらに、支持板４は受け座１９にナット５により固定され、受け座１９の突起１９ｃによって回転が係止されるので、固定のための構造及び組み立てを簡単にすることができる。
【００３３】
上記実施例では止め金１４に係止ロッド１７を連結した場合について説明したが、係止ロッド１７は省略してもよい。
【００３４】
【発明の効果】
以上説明したように、本発明の扉用ハンドルによれば、ハンドルの回転方向をアーム及びカム部材を介して反転し、カム部材に止め金を固定したので、ハンドルを扉の外側に突出させることなく、止め金を枠体に対して係止位置に安定して保持することができる。また止め金をカム部材を介して回動させるようにしたので、ハンドル回動時に回転モーメントが直接止め金に作用せず、止め金の変形や破損の発生を少くし、変形や破損が発生しても止め金の反転機能を低下させることはない。
さらに、支持板４を受け座１９を介してナット５により扉１に固定し、突起１９ｃにより回り止めを行うようにしたので、構造及び組み立てを簡単にすることができる。
【図面の簡単な説明】
【図１】本発明の扉用ハンドルの一実施例の構成を示す正面図。
【図２】図１の側面図。
【図３】図２の要部分解断面図。
【図４】図１の支持板の構成を示す正面図。
【図５】図４のＡ−Ａ線断面図。
【図６】図４のＢ−Ｂ線断面図。
【図７】図１のアームの構成を示す正面図。
【図８】図７の一部断面側面図。
【図９】図１のカム部材の構成を示す正面図。
【図１０】図９の側面図。
【図１１】図９のＣ−Ｃ線断面図。
【図１２】図１の止め金の構成を示す正面図。
【図１３】図１２の側面図。
【図１４】図１のハンドルと止め金の回動角を示す説明図。
【図１５】従来の止め金の枠体に対する係止代を示す説明図。
【図１６】従来の扉用ハンドルの一例の構成を示す正面図。
【図１７】図１６の縦断面図。
【符号の説明】
１  扉                          ２  回動軸
３  ハンドル                    ４  支持板
４ｃ  回り止め用孔              ５  ナット
６  アーム                      １０  カム部材
１２ａ  切欠部                  １４  止め金
１７  係止ロッド                １９  受け座
１９ｃ  突起
【図１】
0003597915.tif 000002
【図２】
0003597915.tif 000003
【図３】
0003597915.tif 000004
【図４】
0003597915.tif 000005
【図５】
0003597915.tif 000006
【図６】
0003597915.tif 000007
【図７】
0003597915.tif 000008
【図８】
0003597915.tif 000009
【図９】
0003597915.tif 000010
【図１０】
0003597915.tif 000011
【図１１】
0003597915.tif 000012
【図１２】
0003597915.tif 000013
【図１３】
0003597915.tif 000014
【図１４】
0003597915.tif 000015
【図１５】
0003597915.tif 000016
【図１６】
0003597915.tif 000017
【図１７】
0003597915.tif 000018